(57)【要約】【課題】折戸の連結部における戸板端部間への指の進入を簡単な構造で確実に防止でき、設置済みの折戸への後付けができ、かつ美観にもすぐれた指詰防止具を提供する。【解決手段】指詰防止具２０は、折戸１０の連結支点１１ｂの前方に配設される指詰防止カバー部２１と、折り畳み展開が自在な中央折曲部２２ｂを途中に備えた作動部２２と、中央折曲部２２ｂより延設され指詰防止カバー部２１を前端部に支持した連結支持片２５とを備え、作動部２２は、連結支持片２５を重合し中央折曲部２２ｂで折り畳んだ状態にして、連結部１１の前方から間隙１３に挿入され、取付部２４で戸板１２の後面１２ｄに固着されるとともに、その後は、折戸１０の開、閉動作に伴って、中央折曲部２２ｂが折戸１０の連結支点１１ｂに対し離反、近接するように折り畳み動作をなして、指詰防止カバー部２１を折戸１０の連結支点１１ｂに対し近接、離反移動させる構造になっている。【選択図】図１
2010084400.tif 000002
【特許請求の範囲】
【請求項１】
複数枚の戸板を、折り畳み自在に連結した折戸の連結部に装着される指詰防止具であって、
前記折戸の連結部は、前記折戸を開いたときに、該連結部における前記戸板の端部間に所定の間隙が形成される構造とされ、
前記折戸の連結支点の前方に配設される指詰防止カバー部と、
折り畳み展開が自在な中央折曲部を途中に備え、かつ前記戸板の後面に取り付けるための取付部を両側部に備えた作動部と、
前記作動部の中央折曲部より平板状に延設され、前記指詰防止カバー部を前端部に固定、支持した連結支持片とを備えた構造とされ、
前記作動部は前記連結支持片が該作動部に挟まれて重合するように前記中央折曲部で折り畳んだ状態にして、前記折戸の連結部の前方から前記間隙に挿入され、該作動部の取付部が、前記折戸の連結部において連結された２枚の戸板のそれぞれの後面に固着される構造になっているとともに、該取付部が固着された後は、前記折戸の開、閉動作に伴って、前記中央折曲部が前記折戸の連結支点に対し離反、近接するように折り畳み動作をなし、これに伴って前記連結支持片を後、前に移動させて、前記指詰防止カバー部を前記折戸の連結支点に対し近接、離反移動させる構造になっていることを特徴とする指詰防止具。
【請求項２】
請求項１において、
前記作動部と、前記指詰防止カバー部と、前記連結支持片とが一体に成形されている指詰防止具。
【請求項３】
請求項２において、
前記作動部は、前記中央折曲部を中央に有した作動片本体と、該作動片本体の両端より延設されたシート状の一対の取付片よりなる前記取付部とより構成され、
前記作動部が前記間隙に挿入される際には、前記一対の取付片が、前記作動片本体の外側にさらに折り畳み重合される構成としている指詰防止具。
【請求項４】
複数枚の戸板を、折り畳み自在に連結させた連結部を有し、開いたときに、該連結部における戸板の端部間に所定の間隙が形成される折戸であって、
請求項１〜３のいずれか１項に記載の指詰防止具を装着した折戸。
【発明の詳細な説明】
【技術分野】
【０００１】
本発明は、折り畳み自在に連結した折戸の連結部に装着される指詰防止具およびこれを装着した折戸に関する。
【背景技術】
【０００２】
折戸は、これを開くときには、隣接する２枚の戸板を連結した連結部が、ガイドレールよりも前方側に突出しながら、各戸板の連結端部の端部間は扇のように開いてゆき、戸板を完全に折り畳むまで開くと２枚の戸板が重なり合って、連結部における両方の端面はガイドレールに直交する方向を向く。一方、折戸を閉じるときには、連結部における２枚の戸板の端部間がはさみのように閉じてゆく。
【０００３】
折戸の連結部は、折戸の開閉によって上記のような動作をするため、従来では、折戸が開いた状態から、連結部における両戸板の端部間を手指で押えながら折戸を閉じようとすれば、狭まってゆく２枚の戸板の端部間に指が挟まれてしまう危険性があった。
【０００４】
また、折戸の連結部は蝶番などの連結部材で戸板が連結された構成とされ、この蝶番のヒンジピンを連結支点として折り畳み自在な構造となっており、この連結支点の上下方向に走る支軸にはわずかな幅間隔の間隙が形成される。特に、折戸が完全に開いた状態から閉状態に移行するまでの間は、連結部における戸板の端部間が開いた状態にあり、その状態では、２枚の戸板の端部の後方角部間に形成される上記間隙が前方に露出されている。この間隙は４〜５ｍｍ程度のものであり、大人では閉操作のときに指が挟まれるおそれはほとんどないが、乳幼児などではその間隙に指を挟まれるおそれがあった。
【０００５】
このような連結部における戸板の端部間や、支軸部分の間隙への指詰めを防止するために、種々の指詰防止具やそのような部材を連結部に設けた折戸が、種々提案されている（例えば、特許文献１を参照）。
【０００６】
特許文献１に記載の指詰防止手段は、戸板の端部間に膜のような軟質部材を折り畳み展開自在に介在させたもので、この軟質部材によって、折戸が閉動する際に連結支点の支軸部分にできる上記間隙を前方より遮蔽して、間隙への指の進入を防止する構造となっている。
【特許文献１】実開昭６３−２３４８２号公報
【発明の開示】
【発明が解決しようとする課題】
【０００７】
しかしながら、上記文献記載のものでは、折戸の閉動時の上記間隙への指の進入は防止できても、軟質部材によって連結部における２枚の戸板の端面のすべてを隠す構造とはなっていないため、閉動時のこの端面間で指が挟まれることを完全には防止できない。
【０００８】
さらに、このものでは、折戸が閉じた状態で軟質部材を折り畳み重合した状態で介在させる必要があるため、軟質部材を適切に取り付けるためには折戸を閉じた状態のときに端部間に十分な隙間ができることを必要とする。したがって、隙間幅を十分に有さない既設の折戸への後付けは、ほとんど無理である。
【０００９】
また、このものでは、折戸が閉状態のときに、軟質部材が折り畳まれて収容されている幅広の隙間が前方に露出されるため、見映えはきわめて悪いものと想定される。
【００１０】
本発明は、このような事情を考慮して提案されたもので、その目的は、折戸の連結部における戸板端部間への指の進入を簡単な構造で確実に防止でき、設置済みの折戸への後付けができ、かつ美観にもすぐれた指詰防止具およびこれを装着した折戸を提供することにある。
【課題を解決するための手段】
【００１１】
上記目的を達成するために、請求項１に記載の指詰防止具は、複数枚の戸板を、折り畳み自在に連結した折戸の連結部に装着される指詰防止具であって、折戸の連結部は、折戸を開いたときに、連結部における戸板の端部間に所定の間隙が形成される構造とされ、次のような構成となっている。
【００１２】
すなわち、この指詰防止具は、折戸の連結支点の前方に配設される指詰防止カバー部と、折り畳み展開が自在な中央折曲部を途中に備え、かつ戸板の後面に取り付けるための取付部を両側部に備えた作動部と、作動部の中央折曲部より平板状に延設され、指詰防止カバー部を前端部に固定、支持した連結支持片とを備えた構造とされ、作動部は、連結支持片が該作動部に挟まれて重合するように中央折曲部で折り畳んだ状態にして、折戸の連結部の前方から間隙に挿入され、作動部の取付部が、折戸の連結部において連結された２枚の戸板のそれぞれの後面に固着される構造になっているとともに、取付部が固着された後は、折戸の開、閉動作に伴って、中央折曲部が折戸の連結支点に対し離反、近接するように折り畳み動作をなし、これに伴って連結支持片を後、前に移動させて、指詰防止カバー部を折戸の連結支点に対し近接、離反移動させる構造になっていることを特徴とする。
【００１３】
請求項２に記載の指詰防止具は、作動部と、前記指詰防止カバー部と、前記連結支持片とが一体に成形されている。
【００１４】
請求項３に記載の指詰防止具は、作動部が中央折曲部を中央に有した作動片本体と、作動片本体の両端より延設されたシート状の一対の取付片よりなる取付部とより構成され、作動部が間隙に挿入される際には、一対の取付片が作動片本体の外側にさらに折り畳み重合される構成としている。
【００１５】
請求項４に記載の折戸は、複数枚の戸板を、折り畳み自在に連結させた連結部を有し、開いたときに、該連結部における戸板の端部間に所定の間隙が形成される折戸であって、請求項１〜３のいずれか１項に記載の指詰防止具を装着している。
【発明の効果】
【００１６】
本発明の指詰防止具および折戸によれば、折戸の閉動作に伴って、指詰防止具の作動部の中央折曲部が折戸の連結支点に対し近接するように折り畳み動作をなし、これに伴って指詰防止カバー部が折戸の連結支点に対し離反移動する構造になっているため、折戸の閉動作中に狭まってゆく戸板の端部間において、指詰防止カバー部が徐々に突出してゆく。そのため、折戸の閉操作時における戸板の端部間への指の進入を確実に防止できる。さらに、指詰防止カバー部で連結部の前方を隠す構成であるため、美観にもすぐれている。
【００１７】
また、この指詰防止具によれば、連結支持片を作動部に挟まれて重合するように中央折曲部で折り畳んだ状態にして、連結支点にできる戸板間の間隙に挿入して取付できる構成であるため、工場や現場などでの折戸への組付けが簡易に行え、既設の折戸への後付けも容易に行える。さらに、この指詰防止具は折戸への装着の際に、作動部と指詰防止カバー部と連結支持片とを一体にしておけば、部材を個別に装着したり、装着した後に部材間を結合したりする必要がなく、取付の手間がかからない。また、指詰防止具は指詰防止カバー部が一体化されているため、指詰防止カバー部を正しく簡易に位置決めでき、そのように指詰防止カバー部位置決めすることで指詰防止具を適切に配設することができる。
【００１８】
また、作動部と指詰防止カバー部と連結支持片とが一体成形された指詰防止具によれば、指詰防止具を安価に製造でき、折戸の製造コストも抑えられる。また、指詰防止具を一部材より構成できるので、取り扱いや保管など管理上の手間がほとんどかからない。
【００１９】
ついで、指詰防止具を折戸に装着する際にシート状の取付片を作動部本体の外側にさらに折り畳み重合するものでは、取付片を幅広にしても装着作業が容易に行える。また、取付片を大きくできるので、指詰防止具を戸板の後面に頑丈に固着できる。
【発明を実施するための最良の形態】
【００２０】
以下に、本発明の実施形態について添付図面を参照しながら説明する。
【００２１】
図１は、本発明の指詰防止具および折戸の第１の実施形態を示す図であり、折戸の設置状態を示す横断面図、および図中のＸ２に相当する箇所（折戸の連結部）の拡大部分横断面図であり、図２は図１のＹ１方向から見た折戸を閉じた状態の折戸の正面図、図３は図１のＹ２方向から見た折戸の背面図である。図４は、同指詰防止具の部分斜視図である。
【００２２】
この折戸１０は、クローゼットの扉や、相互に隣接する居室間の開閉可能な間仕切りとして使用される。図例のものは、連結された一対の戸板１２，１２よりなる２組の折戸１０，１０が、敷居３に敷設されたガイドレール４上に、開閉移動可能に取り付けられている。
【００２３】
より具体的には、折戸１０を構成する２枚の戸板１２は、隣り合う端部１２ａが蝶番１１ａで回動可能に連結されているとともに、一方の戸板１２の他方の端部１２ｂが、柱１に取り付けた縦枠２にヒンジ結合され、他方の戸板１２の他方の端部１２ｂがレール４上に走行可能に取り付けられている。
【００２４】
このように、一方の戸板１２を縦枠２にヒンジ結合したものでは、他方の戸板１２をレール４上で移動させる場合には、蝶番１１ａによって、連結部１１が移動しながら折戸１０は開閉される。
【００２５】
なお、本発明の折戸は、折戸１０を構成するいずれの戸板１２もが縦枠２にヒンジ結合されず、両戸板１２ともにレール４上を移動するものにも適用が可能である。また、折戸は一対の戸板よりなるものに限定されず、複数対が連結されたものであってもよい。その場合、レール４上でも戸板同士が連結されるが、その連結部は本明細書でいう連結部１１には含まれない。
【００２６】
折戸１０を構成する各戸板１２においては、連結部１１で連結され、開動作のときに突出する端部１２ａには、突出方向側の戸板１２の前方角部１２ａｂが面取りされ、端面１２ａａには傾斜した面取り部１２ａｃが形成されている。折戸１０が閉じているときには、２枚の戸板１２には、面取り部１２ａｃが隣り合うことによって、戸板１２の前面１２ｃに上下に走る、断面視でＶ字状に漸開した縦溝１４が形成される。なお、本明細書および特許請求の範囲では、折戸１０の開操作により連結部１１が突出する方向を前方と呼び、その反対方向を後方と呼ぶ。
【００２７】
また、連結部１１の構成部材である蝶番１１ａは、２枚の戸板１２の後面１２ｄに、戸板１２の一部を掘り込んで取り付けられ、その蝶番１１ａのヒンジピンが、連結部１１において２枚の戸板１２を折り畳み自在とした連結支点１１ｂを構成する。
【００２８】
この蝶番１１ａは、本実施形態では図３に示すように、上下方向の上、下、中央の３箇所に取り付けられており、図１の拡大図に示すように、この蝶番１１ａをスムースに動作させるために、折戸１０がある程度開いた状態では、２枚の戸板１２の端部１２ａ（後方角部１２ａｄ）間には、連結支点１１ｂによってできる所定の間隙１３が形成される。
【００２９】
さらに、この連結部１１には、上記間隙１３を通って、その前方と後方とに跨るように指詰防止具２０が配設、固定されている。この指詰防止具２０は、連結部１１近傍の戸板１２の後面１２ｄで両端が固定されるシート状の作動部２２と、この作動部２２の中央折曲部２２ｂより前方に向かうように平板状に延設された連結支持片２５と、その連結支持片２５の前端部に固定、支持された指詰防止カバー部２１とを含んで構成される。
【００３０】
この作動部２２は、中央折曲部２２ｂで折り畳み展開可能となった作動部本体２２ａと、その両端に配された一対の取付片２４とより構成されている。この一対の取付片２４は、作動部本体２２の両端に位置する取付折曲部２２ｃを介して設けられ、２枚の戸板１２のそれぞれの後面１２ｄに固着するために平板状に形成されている。図１の拡大横断面図に示すように、折戸１０が開いた状態では、この作動部２２は、Ｖ字形状の作動部本体２２ａと、その両側の一対の取付片２４とでＷ字形状をなしている。
【００３１】
なお、作動部２２の取付部は平板状の取付片２４に限られず、取り付けた後に作動部本体２２ａの中央折曲部２２ｂが動作可能となるように固定できるものであれば、他の構造であってもよい。また、作動部を取り付けた状態でＷ字形状をなさず、取付片２４が図１の例とは反対方向に折れ曲がって取り付けられるような取付態様であってもよい。
【００３２】
また、指詰防止カバー部２１は、ガイドレール４に略平行な平板形状をなし、前方にわずかに突出するように湾曲しており、裏側の中央位置で連結支持片２５に連結、支持されている。また、この指詰防止カバー部２１の両端には、裏側に小半円柱状に突出した突起部２１ａが形成されている。
【００３３】
指詰防止カバー部２１は、後述するように、折戸１０と作動部２２の協働によって、折戸１０の開動作に伴って連結支点１１ｂに対し相対的に後に移動する一方、折戸１０の閉動作に伴って連結支点１１ｂに対し相対的に前に移動し、その移動中において、その両端の突起部２１ａが戸板１２の端面１２ａａに近接あるいはわずかに接触しながら動作するが、突起部２１ａの周面が曲面形状とされているため、戸板の端面を傷めるおそれはほとんどない。
【００３４】
この指詰防止具２０は、２枚の戸板１２の連結部１１を指詰防止カバー部２１によって前方より覆って指の進入を防止するものであるが、本実施形態では、折戸１０の全高にわたって設けたものではなく、図２，３に示すように、乳幼児等の指の進入が十分に防止できるように、幼児の身長に合わせて、戸板１２の下端位置から、中央よりやや高い位置までに対応した長さのものが配設されている。
【００３５】
図２の正面図に示すように、指詰防止カバー部２１は指詰防止具２０の全長にわたって途切れることなく形成されており、戸板１２の端部１２ａの面取り部１２ａｃによって形成される縦溝１４を隠すように、折戸１０の連結部１１の前方に表れている。また図３の背面図に示すように、折戸１０の後方には蝶番１１ａが取り付けられているため、作動部２２は蝶番１１ａの取付箇所を除く部位に取付できるように部分的に形成されている。
【００３６】
本実施形態では、指詰防止具２０は、指詰防止カバー部２１、取付部２４を含む作動部２２、連結支持片２５が樹脂等で一体成形されており、蝶番１１ａの取付位置に応じて作動部２２と連結支持片２５とを適宜切り取って使用することが望ましい。図２，３に示した指詰防止具２０は、図４に示すように、指詰防止具２０の上端部などで、作動部（取付片を含む）と連結支持片とが切り取られている。
【００３７】
この指詰防止具２０の作動部２２は、薄板状の樹脂シート体よりなり、折戸１０に取り付けず、なんらの外力も加えない状態では、Ｖ字形状の作動部本体２２ａと、その両端より延設された一対の取付片２４とが平面視でＷ字形状をなしている。つまり作動部２２は、外力を加えない状態では、連結支持片２５が延設された作動部本体２２ａの中央折曲部２２ｂと、作動部本体２２ａと両側の取付片２４との間の一対の取付折曲部２２ｃとの３箇所で折れ曲がっている。
【００３８】
これらの折曲部２２ｂ、２２ｃは、指詰防止具２０が樹脂で一体成形されているため、作動部２２に外力が付加されると折曲角度（折曲部の両片のなす角度。以下同様）が変動する一方、外力を取り除くと復帰弾性力によってもとの状態に戻る。つまり、この作動部２２は、図４の矢印Ａに示すように一対の取付片２４の両側より押圧すると、折曲部２２ｂ、２２ｃの折曲角度が徐々に小さくなり、作動部２２は折り畳んだ状態となる一方、矢印Ｂに示すように一対の取付片２４の両側を引き伸ばすと、折曲部２２ｂ、２２ｃの折曲角度が徐々に大きくなり、作動部２２は展開された状態となる。作動部２２のこれら３箇所の折曲部２２ｂ、２２ｃを除く平板部は、上記のような外力によってもほとんど変形されない。なお、指詰防止具は、上記のような外力を加えて折り畳んだり展開したりしても復帰弾性力が生じないものでもよく、少なくとも作動部本体２２ａの中央折曲部２２ｂを除く平板部がある程度の不撓性を有していればよい。
【００３９】
これらの折曲部２２ｂ、２２ｃのうち作動部本体２２ａの中央に形成されている中央折曲部２２ｂは、指詰防止具２０を折戸１０に取り付けた後には、折戸１０の開閉動作に伴って動作し、指詰防止カバー部２１を前後に移動させるための連結作動部２３を構成する。また、作動部本体２２ａと両取付片２４との間の一対の取付折曲部２２ｃは、折戸１０の開閉動作に伴って上記連結作動部２３を移動させるための動作支点を構成する。つまり、指詰防止具２０を折戸１０に取り付けることで、この連結作動部２３と、両取付折曲部２２ｃと、連結支点１１ｂとよりなる四角形によってパンタグラフ状の機構（以下、パンタグラフ機構という。）が形成される。
【００４０】
図５〜７は、折戸１０の閉動時の連結部１１の状態遷移（図１のＸ１の状態からＸ２の状態を経て全閉（図１中の左側の折戸の状態Ｘ３に相当する）状態までの遷移）を、図順にしたがって時系列に示した連結部１１の部分横断面図である。なお、これらの図では、指詰防止具取付用のビスの図示も省略している。
【００４１】
折戸１０がほぼ全開した状態では、２枚の戸板１２が重なり合うように折り畳まれ、端部１２ａの端面１２ａａが前方を向いている。指詰防止具２０の作動部２２は、それらの戸板１２に挟まれて折戸１０と同様に折り畳まれている一方、指詰防止カバー部２１は、２枚の戸板１２の端面１２ａａに近接した位置に配置されている（図５（ａ）を参照）。なお、指詰防止具２０は、後述する装着方法によって、図５（ａ）で示した位置に位置決めされて装着されることが望ましい。
【００４２】
その後、折戸１０を徐々に閉じてゆくと、折戸１０の閉動作に伴って、作動部２２の３つの折曲部２２ｂ、２２ｃが開いて作動部２２が展開してゆき、それとともに、パンタグラフ機構を形成している菱形形状に近い四角形は、縦長の状態から横長の状態へと変形してゆく（図５（ｂ）、図６、図７を参照）。つまり、作動部２２の連結作動部２３は折戸１０の閉動作に伴って連結部１１の連結支点１１ｂに近接する動作をなす。
【００４３】
このように、作動部２２の連結作動部２３（中央折曲部２２ｂ）が連結支点１１ｂに近づいてゆくことで連結支持片２５が前方に押し出され、それに伴って連結支持片２５の前端部に設けた指詰防止カバー部２１も、狭まってゆく２枚の戸板の端面１２ａａに挟まれるように前方に突出してゆき、折戸１０が全閉すると、２枚の戸板１２の面取り部１２ａｃで形成された縦溝１４を左右に跨ぐように、戸板１２の前面１２ｄに近接する位置で停止する（図５（ｂ）、図６、図７を参照）。
【００４４】
以上のように、指詰防止カバー部２１は折戸１０の閉動作中において、開き度合いが徐々に狭まってゆく戸板１２の端面１２ａａ間を塞ぐように、指詰防止カバー部２１の両端が両戸板１２の端面と近接し、あるいはわずかに接触しながら擦り動いてゆく。そのため、連結支点１１ｂにできる間隙１３を含む端部間の危険空間への指の進入を確実に防止できる。
【００４５】
また、折戸１０が全閉状態では、指詰防止カバー部２１が面取り部１２ａｃによってできる縦溝１４を前方より覆うので見映えもよい。折戸１０の全高にわたって指詰防止カバー部２１を設ければ、全閉時には縦溝１４が隠れる箇所と露出される箇所とが混在して表面に表れないため、指詰防止具２０によって美観が損なわれることはほとんどない。
【００４６】
さらに、この指詰防止具２０によれば、一体に形成されているため、一部材を連結部１１に付加するだけで安全な折戸１０を構成することができる。また、樹脂等で一体成形すれば、指詰防止具２０自体を安価に製造でき、また一部材で構成しているので保管や在庫管理に手間がかからない。なお、作動部（取付片を含む）のみ、あるいは作動部と連結支持片とを一体に形成してもよい。その場合も作動部の取付は簡易に行え、製造コストを抑えられる。
【００４７】
また、指詰防止具２０は、上記のような理由から樹脂により一体成形することが望ましいが、平板状の不撓性の４部材をシートで覆って、３箇所で折曲自在に形成したＷ字形の一体シート体で構成してもよい。
【００４８】
なお、本実施形態の指詰防止具２０は、弾性樹脂で一体成形されたものであるため、折り畳み展開によって折戸の開閉動作に抗する復帰弾性力を生じるが、それらの復帰弾性力は折戸を開から閉に、あるいは閉から開に復帰させるものでないことはいうまでもない。
【００４９】
一方、折戸１０の開動作については図示を省略しているが、開動作中では指詰防止具２０は閉動作とは逆の動作をする。すなわち、指詰防止具２０は、折戸１０の開動作に伴って、パンタグラフ機構が動作して、連結支持片２５が端部１２ａ間を後方に移動するとともに、指詰防止カバー部２１が折戸１０の連結支点１１ｂに対し近づくように移動する。
【００５０】
以上のように、本実施形態の指詰防止具２０を使用すれば、指詰防止折戸を簡易に製造できるが、さらに指詰防止対策がなされていない既設の折戸へ後付けすることも容易にできる。図８，９は、本指詰防止具の折戸の連結部への取付手順を示す概略部分横断面図であり、取付手順を図８（ａ）、（ｂ）、図９（ａ）、（ｂ）、（ｃ）の順に時系列に示している。
【００５１】
指詰防止具１０を取り付ける際には、まず２枚の戸板１２の後方角部１２ａｄ間に十分な間隙１３ができるように、折戸１０を開いた状態にしておく。一方、その折戸１０に装着する指詰防止具２０は、蝶番１１ａの取付位置に合わせてあらかじめ作動部２２と連結支持片２５の一部を切り取っておき、その作動部２２を３つの折曲部２２ｂ、２２ｃで折り畳んで、連結支持片２５を２つに折れ曲がった作動部本体２２ａで挟み込み、さらにその外側に一対の取付片２４を折り畳み重合させて、５層の板材よりなる重合板体３０を形成しておく（図８（ａ）を参照）。
【００５２】
指詰防止具２０は、この重合板体３０が連結支点１１ｂにできる間隙１３に挿入できるように、作動部本体２２、取付片２４、連結支持片２５のそれぞれは所定の厚さに形成されている。なお、重合板体３０の厚さが間隙１３よりも薄いものが望ましいが、弾性変形させて挿入できるものであれば、同程度の厚さあるいは重合板体３０のほうがやや厚いものであってもよい。
【００５３】
指詰防止具２０は、図４の説明において先述したように、作動部２２が復帰状態でＷ字形のものを使用するため、取付片２４の外側より挟持部材（不図示）などで挟み込んで弾性力を付勢させた状態で重合させておく。なお、手指で重合板体３０を挟み込み保持させておいてもよい。
【００５４】
このように、重合板体３０を形成させた指詰防止具２０を、折戸１０の連結部１１の前方より連結支点１１ｂにできた間隙１３に、指詰防止カバー部２１の両側の突起２１ａが戸板１２の端面１２ａａに当接するまで挿入してから、後方に回って、高さ方向の位置合わせを行い、挟持部材を外して、取付片２４を戸板１２の後面１２ｄに両面テープ（不図示）などで仮止めする（図８（ａ）、（ｂ）および図９（ａ）、（ｂ）を参照）。
【００５５】
その後、折戸１０の開閉動作を繰り返しながら、指詰防止カバー部２１が端面１２ａａに引っかかることなく動作するか、パンタグラフ機構が正常に作動するかなどを確認し、正常動作を確認できれば、折戸１０を完全に閉じた状態にして、取付片２４を戸板１２にビス３１で固定する（図９（ｃ）を参照）。
【００５６】
このように、指詰防止具２０は作動部２２を折り畳んで形成される重合板体３０が間隙１３に前方から挿入、装着できる構成であるため、工場や現場での取付作業など折戸１０の組立が簡易に行える。また、既設の折戸への後付けであっても、折戸を取り外すことなく簡易に作業が行える。また、指詰防止具２０は作動部２２を間隙１３の厚さ程度の薄板状に折り畳んでおけるので、指詰防止具２０を戸板１２に取り付ける前の段階では、取り扱いがしやすい。さらに、指詰防止カバー部２１を別体にしておき、装着時に一体化する構成であってもよく、そうすることで、取り扱いや保管がよりしやすい。
【００５７】
また、一対の取付片２４を折り畳んで重合させてから、戸板１２へ装着できる構成であるため、取付片の幅広ものでもスムースに作業でき、幅広の取付片で頑丈に取り付けることによって、折戸の開閉動作の繰り返しによっても指詰防止具を外れることを防止できる。
【００５８】
さらに、この指詰防止具は、折戸に装着する際には作動部と指詰防止カバー部と連結支持片とともに一体に結合されているため、部材を個別に装着したり、装着した後に部材間を結合したりする必要がなく、取付の手間がかからない。また、指詰防止具は指詰防止カバー部が一体化されているため、上記のように指詰防止カバー部を戸板１２の端面１２ａａに当接するまで挿入するだけで正しく位置決めでき、そのように指詰防止カバー部位置決めすることで指詰防止具を適切に配設することができる。
【００５９】
図１０，１１は、本発明の指詰防止具の第２の実施形態を示す図で、指詰防止具の折戸の連結部への取付手順を示す概略部分横断面図であり、取付手順を図１０（ａ）、（ｂ）、図１１（ａ）、（ｂ）、（ｃ）の順に時系列に示している。なお以下には、本実施形態の特徴的な構造を説明するが、第１の実施形態と同様の構造については同一の符号を付してその説明は省略する。
【００６０】
この指詰防止具２０は、作動部２２の両側部の取付片２４が図８，９のものより幅寸法を小さく形成されており、折戸１０の連結部１１の間隙１３に挿入する際には、一対の取付片２２を作動部本体２２ａに対して折り畳まずに装着作業ができるようになっている。つまり、図１０（ａ）に示すように、作動部２２を折り畳んで形成される重合板体３０は、中央で折れ曲がって２片となった（取付片２４を含む）作動部２２と、それに挟まれる連結支持片２５とよりなる３層構造となっている。
【００６１】
この指詰防止具２０は、作動部２２と連結支持片２５とを折り畳んで重合板体３０状にした状態で間隙１３に挿入した後は、一対の取付片２４を弾性復帰させ、あるいは手で折り曲げてＷ字形としてから、その両取付片２４のそれぞれを両戸板１２の後面１２ｄに仮止めする。なお、その後の作業工程は図８，９のものと同様であるため、説明は省略する。
【００６２】
このような指詰防止具２０の構成によれば、装着時に取付片２４を折り畳まなくてもよいため、第１の実施形態のもの（図８、９を参照）よりも作動部２２を厚く形成できる。
【００６３】
図１２〜１４は、本発明の指詰防止具および折戸の第３の実施形態の説明図であり、同折戸の閉動時の連結部の状態を図順にしたがって時系列に示した連結部の部分横断面図である。なお以下には、本実施形態の特徴的な構造を説明するが、第１の実施形態と同様の構造については同一の符号を付してその説明は省略する。
【００６４】
この折戸１０は、連結部１１における両戸板１２の端部１２ａの前方角部１２ａｂが上下方向の全長にわたって切り欠かれており、折戸１０を閉じた状態では両戸板１２の切欠き凹所１２ｎが向かい合って水平方向に連通し、１つの連成凹所４０を形成している（図１４（ｂ）を参照）。この切欠き凹所１２ｎを形成することで形成された前面側の上下方向に沿った突起は、折戸１０を開くときに操作する取っ手１２ｏを構成する。
【００６５】
また、この折戸１０に装着される指詰防止具２０は、図１〜９に示したものと概ね同じ構造であるが、指詰防止カバー部２１は、折戸１０が開いた状態で両戸板１２の指詰防止具２０の取付端部１２ｍの端面１２ｍａを隠し、かつ折戸１０を閉じた状態で連成凹所４０に収容される程度に幅広に構成されている（図１２（ａ）および図１４（ｂ）を参照）。
【００６６】
この連成凹所４０によれば、折戸１０を閉じた状態で指詰防止カバー部２１を収容できるため、幼児などによる指詰防止具２０へのいたずらを防止できる。また、折戸１０を閉じた状態で指詰防止カバー部２１による前方への出っ張りがないため、見映えがよい。特に、折戸１０を閉じた状態では、両戸板１２の取っ手１２ｏによって連成凹所４０の開口４１が狭められて、指詰防止カバー部２１の両端が隠れるので、指詰防止具２０を取り付けていることがほとんどわからない。
【００６７】
また、この折戸１０の閉動時における指詰防止具２０は、図１２〜１４に示すように図５〜７に示したものと概ね同様の動作をする。すなわち、指詰防止具２０は、折戸１０の閉動作に伴って、作動部２２の３つの折曲部２２ｂ、２２ｃが開いて作動部２２全体が展開してゆき、それとともに、パンタグラフ機構を形成している四角形が縦長の状態から横長の状態へと変形してゆく。
【００６８】
このように、指詰防止カバー部２１が、閉動作中に開き度合いが徐々に狭まってゆく戸板１２の取付端部１２ｍの端面１２ｍａ間を常時隠しているため、連結支点１１ｂにできる間隙１３を含む危険空間への指の進入を確実に防止できる。また、この折戸１０によれば、折戸１０の前面に取っ手１２ｏが形成されているため、指詰防止カバー部２１の前面が直接、押し操作される可能性が低く、安全性は高い。
【００６９】
なお、折戸１０の開動作については図示を省略しているが、指詰防止具２０は閉動作とは逆の動作をなす。すなわち、指詰防止具２０は、折戸１０の開動作に伴って、パンタグラフ機構が動作して、連結支持片２５が後に移動するとともに、指詰防止カバー部２１が折戸１０の連結支点１１ｂに対し近接移動するように動作する。
【図面の簡単な説明】
【００７０】
【図１】本発明の指詰防止具および折戸の第１の実施形態の説明図であり、同折戸の設置状態を示す横断面図、および図中のＸ２に相当する箇所の拡大部分横断面図である。
【図２】図１のＹ１方向から見た同折戸の正面図である。
【図３】図１のＹ２方向から見た同折戸の背面図である。
【図４】同指詰防止具の部分斜視図である。
【図５】同折戸の閉動時の折戸の連結部の状態を時系列に示した説明図であり、（ａ）、（ｂ）は同折戸（連結部）の拡大部分横断面図である。
【図６】（ａ）、（ｂ）は、図５よりもさらに閉動された状態の同折戸（連結部）の拡大部分横断面図である。
【図７】（ａ）、（ｂ）は、図６よりもさらに閉動された状態の同折戸（連結部）の拡大部分横断面図である。
【図８】（ａ）、（ｂ）は、指詰防止具の折戸の連結部への取付手順を示す概略部分横断面図である。
【図９】（ａ）〜（ｃ）は、指詰防止具の折戸の連結部への取付手順を示す概略部分横断面図である。
【図１０】本発明の指詰防止具の第２の実施形態を示す説明図であり、（ａ）、（ｂ）は折戸の連結部への取付手順を示す概略部分横断面図である。
【図１１】（ａ）〜（ｃ）は、同指詰防止具の取付手順を示す概略部分横断面図である。
【図１２】本発明の指詰防止具および折戸の第３の実施形態の説明図であり、（ａ）、（ｂ）は同折戸（連結部）の拡大部分横断面図である。
【図１３】（ａ）、（ｂ）は、図１２よりもさらに閉動された状態の同折戸（連結部）の拡大部分横断面図である。
【図１４】（ａ）、（ｂ）は、図１３よりもさらに閉動された状態の同折戸（連結部）の拡大部分横断面図である。
【符号の説明】
【００７１】
１０      折戸
１１      連結部
１１ａ      蝶番
１１ｂ      連結支点
１２      戸板
１２ａ      連結端部
１２ａａ      端面
１２ａｂ      前方角部
１２ａｃ      面取り部
１２ａｄ      後方角部
１２ｂ      他の端部
１２ｃ      前面
１２ｄ      後面
１３      間隙
１４      縦溝
２０      指詰防止具
２１      指詰防止カバー部
２１ａ      突起部
２２      作動部
２２ａ      作動部本体
２２ｂ      中央折曲部
２２ｃ      取付折曲部
２３      連結作動部
２４      取付片（取付部）
２５      連結支持片
３０      重合板体
３１      ビス
（以下は第３の実施形態に関するもの）
１２ｍ      取付端部
１２ｍａ      取付端部の端面
１２ｎ      切欠き凹所
１２ｏ      取っ手
４０      連成凹所
４１      開口
【図１】
2010084400.tif 000003
【図２】
2010084400.tif 000004
【図３】
2010084400.tif 000005
【図４】
2010084400.tif 000006
【図５】
2010084400.tif 000007
【図６】
2010084400.tif 000008
【図７】
2010084400.tif 000009
【図８】
2010084400.tif 000010
【図９】
2010084400.tif 000011
【図１０】
2010084400.tif 000012
【図１１】
2010084400.tif 000013
【図１２】
2010084400.tif 000014
【図１３】
2010084400.tif 000015
【図１４】
2010084400.tif 000016